(57)【要約】【課題】照明器具本体の長さを短くし、省資源化を図るとともに、反射笠と本体との位置決めを簡略化し、反射笠の取り付けを容易にする。【解決手段】長手方向の両側にＬ字型折返し部２を形成した器具本体１と、長手方向の両端にランプソケットを取り付けるためのソケット穴６を形成した反射笠４とを有する。反射笠４は両側の内側の折り曲げた部分に、しかも器具本体１の折り返し部２に対応する位置にテーパー状凹部５を形成し、Ｌ字型折返し部２にその凹部５を係合させて仮保持する構造とする。【選択図】　　　図１
2004071211.tif 000002
【特許請求の範囲】
【請求項１】
長手方向の両側にＬ字型折返し部を所定の長さ形成した器具本体と、長手方向の両端にランプソケットを取り付けるためのソケット穴を形成した反射笠とを有し、前記反射笠は両側の内側に折り曲げた折り曲げ部に且つ前記器具本体の折返し部に対応する位置に凹部を形成し、前記器具本体の前記Ｌ字型折返し部に前記反射笠の前記凹部を係合させて仮保持することを特徴とする照明器具。
【請求項２】
前記反射笠の前記凹部は、テーパー付き凹部もしくはテーパーのない直線状の凹部を形成し、前記器具本体の前記Ｌ字型折返し部に対し、前記テーパー付き凹部もしくはテーパーのない直線状の凹部が前記反射笠の長手方向の位置決めの機能を果たすことを特徴とする請求項１記載の照明器具。
【請求項３】
前記器具本体に設けられる前記ランプソケットは、前記反射笠の前記ソケット穴にかん合により固定されることを特徴とする請求項１記載の照明器具。
【請求項４】
前記器具本体は、長手方向の両側に前記長手方向の長さと同じ長さだけ前記Ｌ字型折返し部を形成したことを特徴とする請求項１記載の照明器具。
【請求項５】
前記器具本体の前記Ｌ字型折返し部は、それぞれ複数個の折返し部を形成したことを特徴とする請求項１記載の照明器具。
【請求項６】
前記反射笠の前記凹部の長さは、前記器具本体の前記Ｌ字型折返し部の長さよりも若干大きくするとともに、前記反射笠の前記凹部の左右の長さを異ならせ且つ前記器具本体の前記Ｌ字型折返し部の長さを対応して異ならせたことにより、前記反射笠の逆方向取付防止機能を付加できることを特徴とする請求項１記載の照明器具。
【発明の詳細な説明】
【０００１】
【発明の属する技術分野】
本発明は照明器具に関し、特に直管式蛍光灯の反射笠を備えた照明器具に関する。
【０００２】
【従来の技術】
従来、直管式蛍光灯を備えた照明器具は、天井などに取り付ける金属性の器具本体と、この器具本体を覆うＶ字型もしくは逆富士字型の反射笠とを備えており、しかも器具本体に取付けられるソケット金具にソケット並びに反射笠を取付ける構造のものが一般的である。
【０００３】
図５は従来の一例を説明するための照明器具の中央縦断面図である。図５に示すように、従来の照明器具は、天井や壁などに取り付けられる照明器具本体２１と、蛍光ランプ用のソケット２４を取り付け、器具本体２１に固定された取付板２２と、器具本体２１に取り付けられる安定器２３と、取付板２２にねじ２８によりねじ止めまたはかん合などにより取り付ける固反射笠２５とを備えている。なお、点灯管やその他のコンデンサ素子などについては、図示省略している。また、反射笠２５と器具本体２１の固定手段は、反射笠２５とソケット金具をねじ止めしても良いし、または反射笠２５と取付金具（本体に別途ねじ止め等により取付）をかん合もしくはねじ止めさせても良い。さらに、ソケット取付金具は、樹脂製で形成される場合もある。
【０００４】
図６（ａ），（ｂ）はそれぞれ図５における照明器具本体および反射笠の正面図およびそのｂ−ｂ断面図である。図６（ａ），（ｂ）に示すように、この照明器具本体２１は、長手方向に見ると、反射笠２５の長さとほぼ同じ長さに形成されている。すなわち、本体２１に取付けられているソケット金具としての取付板２２にソケット２４並びに反射笠２５をそれぞれ取付けているため、本体２１は反射笠２５とほぼ同じ長さを必要としている。また、本体２１が天井などに取り付けられると、ソケット２４を反射笠２５のソケット穴２７に通して反射笠２５を本体２１の取付板２２にねじ２８で固定する。
【０００５】
【発明が解決しようとする課題】
上述した従来の照明器具は、本体に取付けられているソケット金具にソケット並びに反射笠をそれぞれ取付けているため、器具本体は反射笠と同じ長さを必要としている。
【０００６】
しかしながら、取り付ける場所によっては、本体の長さを十分に取れない場合や、あるいは強度の点からより一層の軽量化を要求される場合がある。
【０００７】
このように、本体の長さを短くし、省資源化を図る為には、ソケットを反射笠に直接取付けなければならないが、その為には、反射笠を一旦本体に仮保持し、ソケットを取付けられるようにする必要がある。また、本体を短くすると、双方の長さが異なるため、位置決めを行うのに、上を見ながら手探りの状態で反射笠を取付板に固定しなければならず、反射笠と本体との位置決めを行い、取り付けを容易にする必要も生ずる。
【０００８】
本発明の目的は、器具本体の長さを短くし、省資源化を図るとともに、反射笠と本体との長手方向の位置決めを行い、反射笠の取り付けを容易にすることのできる照明器具を提供することにある。
【０００９】
【課題を解決するための手段】
本発明の照明器具は、長手方向の両側にＬ字型折返し部を所定の長さ形成した器具本体と、長手方向の両端にランプソケットを取り付けるためのソケット穴を形成した反射笠とを有し、前記反射笠は両側の内側に折り曲げた折り曲げ部に且つ前記器具本体の折返し部に対応する位置に凹部を形成し、前記器具本体の前記Ｌ字型折返し部に前記反射笠の前記凹部を係合させて仮保持するように構成される。
【００１０】
また、本発明における前記反射笠の前記凹部は、テーパー付き凹部もしくはテーパーのない直線状の凹部を形成し、前記器具本体の前記Ｌ字型折返し部に対し、前記テーパー付き凹部もしくはテーパーのない直線状の凹部が前記反射笠の長手方向の位置決めの機能を果たして形成される。
【００１１】
また、本発明における前記器具本体に設けられる前記ランプソケットは、前記反射笠の前記ソケット穴にかん合により固定される。
【００１２】
また、本発明における前記器具本体は、長手方向の両側に前記長手方向の長さと同じ長さだけ前記Ｌ字型折返し部を形成することができる。
【００１３】
また、本発明における前記器具本体の前記Ｌ字型折返し部は、それぞれ複数個の折返し部を形成して構成される。
【００１４】
また、本発明における前記反射笠の前記凹部の長さは、前記器具本体の前記Ｌ字型折返し部の長さよりも若干大きくするとともに、前記反射笠の前記凹部の左右の長さを異ならせ且つ前記器具本体の前記Ｌ字型折返し部の長さを対応して異ならせたことにより、前記反射笠の逆方向取付防止機能を付加できるように形成される。
【００１５】
【発明の実施の形態】
本発明の照明器具は、反射笠を照明器具本体に取付ける際、本体に反射笠の仮保持機能を設けるとともに、反射笠を本体に引掛けることにより、仮保持だけでなく長さ方向の位置決めも同時に実現するものである。以下、本発明の実施の形態を図面を参照して説明する。
【００１６】
図１（ａ），（ｂ）はそれぞれ本発明の一実施の形態を説明するための照明器具本体および反射笠の仮止め状態の正面図およびそのａ−ａ断面図である。図１（ａ），（ｂ）に示すように、本実施の形態は長手方向の両側にＬ字型の折返し部２を形成し且つ下面に安定器３を固定した器具本体１と、長手方向の両端にランプソケット（図示省略）を取り付けるためのソケット穴６を形成した反射笠４とを有している。この器具本体１におけるＬ字型の折返し部２は、器具本体１の両側の一部に所定の長さＡだけ形成され、一方反射笠４は両端の内側に折り曲げた折り曲げ部７に且つ器具本体１の折返し部２に対応する位置にテーパー付きの凹部５を形成している。
【００１７】
図２（ａ），（ｂ）はそれぞれ図１における器具本体の斜視図および反射笠の斜視図である。図２（ａ）に示すように、器具本体１はその長手方向の両側に反射笠４を仮保持するためのＬ字構造をした折返し部２を所定の長さＡだけ設ける。また、図２（ｂ）に示すように、反射笠４の開口面側もＬ字構造の折り曲げ部７を形成し、その中央部にテーパー付きの凹部５を形成する。ここで、凹部５の底辺の長さはＡ’であり、公差を考慮してＡ’＞Ａとする。
【００１８】
また、反射笠４にはソケットを通常のかん合方式で直接取付けられるソケット穴６を形成する。この結果、反射笠４とソケットを固定するソケット金具（ソケット取付金具）を削除することができる。
【００１９】
上述した器具本体１の折返し部２の長さＡは、反射笠４の凹部５の長さ（Ａ’）に対し、若干短く形成しているため、器具本体１に反射笠４を引掛けたとき、簡単に位置決めが行われる。
【００２０】
したがって、照明器具の取り付けにあたっては、天井面に取付けた器具本体１の折返し部２に反射笠４の凹部５を係合させて仮保持すると同時に、容易に長さ方向の位置決めを実現することが出来る。
【００２１】
このように、本実施の形態によれば、反射笠４を本体１に仮保持することにより、ソケットの取付け／取外し作業を容易にすることができる。また、本実施の形態では、器具本体１を任意の長さに短くできる上、器具全体の部品点数も少なくすることができる。
【００２２】
また、本実施の形態は、反射笠４の左右の凹部５の長さを等しい例で説明したが、この他に左右の長さを異ならせても可能である。すなわち、反射笠４の凹部５の左右の長さを異ならせるとともに、対応する器具本体１のＬ字型折返し部２の長さを異ならせて形成するようにしても良い。その場合は、Ａ’＞Ａの関係と同様に、Ｂ’＞Ｂの関係を維持していれば良い。なお、Ｂは折返し部２の反対側の長さであり、Ｂ’は反射笠４の反対側の凹部５の長さである。
【００２３】
図３は本発明の他の実施の形態を説明するための器具本体の斜視図である。図３に示すように、本実施の形態は、器具本体１の長手方向の両側にそれぞれ２個所のＬ字型折返し部９を形成したものである。かかる構造とすることにより、位置決めを可能にするとともに、器具本体１を軽量化することが出来る。なお、このＬ字型折返し部９は２個の場合だけでなく，３個でも４個以上でも良い。
【００２４】
図４は本発明のまた別の実施の形態を説明するための反射笠の部分拡大図である。図４に示すように、本実施の形態は、反射笠４の長手方向の両側に形成するＬ字型構造の折り曲げ部７に、凹部５を形成する際、テーパーを設けずに直線状（ストレート）に形成したものである。この場合には、テーパー状凹部に比べてがたつきが無く、位置決めが行われる。
【００２５】
また、本発明は、図３の器具本体構造と図４に示す反射笠構造を組み合わせて形成しても良いことは言うまでもないことである。
【００２６】
【発明の効果】
以上説明したように、本発明の照明器具は、器具本体の長手方向の両端にＬ字型の折返し部を形成し、反射笠の長手方向の両端に且つ前記Ｌ字型の折返し部に対応した位置にテーパー付き凹部を形成することにより、ソケット金具を削除するとともに、反射笠を本体に仮保持することができるので、器具本体の長さを短くし、省資源化を図ることが出来るという効果がある。
【００２７】
また、本発明は、反射笠に直接ソケットを取付ける器具においても、反射笠を本体に仮保持するので、ソケットを反射笠に取付ける作業も安全にかつ容易に出来るという効果がある。
【００２８】
さらに、本発明は、反射笠の仮保持により反射笠と本体の長手方向の位置決めを実現できるので、取付けの位置合わせも容易になるという効果がある。
【図面の簡単な説明】
【図１】本発明の一実施の形態を説明するための照明器具本体および反射笠の仮止め状態の正面およびそのａ−ａ断面を表わす図である。
【図２】図１における器具本体および反射笠の斜視状態を表わす図である。
【図３】本発明の他の実施の形態を説明するための照明器具本体の斜視図である。
【図４】本発明のまた別の実施の形態を説明するための反射笠の部分拡大図である。
【図５】従来の一例を説明するための照明器具の中央縦断面図である。
【図６】図５における照明器具本体および反射笠の正面およびそのｂ−ｂ断面を表わす図である。
【符号の説明】
１　　器具本体
２，９　　折返し部
３　　安定器
４　　反射笠
５　　凹部
６　　ソケット穴
７　　折り曲げ部
８　　笠側板
【図１】
2004071211.tif 000003
【図２】
2004071211.tif 000004
【図３】
2004071211.tif 000005
【図４】
2004071211.tif 000006
【図５】
2004071211.tif 000007
【図６】
2004071211.tif 000008